(57)【要約】【課題】延伸斑改善を目的として蒸気延伸を行うにあたり、糸ゆれ、擦過による走行糸にかかるダメージを抑制するとともに、飛散蒸気による周辺設備および製品の汚れを抑制する延伸用蒸気ノズルを提供する。【解決手段】熱可塑性合成繊維からなる糸条(Y)を走行状態で加熱する糸条加熱手段(3)と、前記糸条(Y)を所定の倍率で引き伸ばすための延伸手段とを備えた熱可塑性合成繊維の加熱延伸装置において、更に、前記糸条加熱手段(3)が、延伸中に糸条(Y)が貫通して走行するための糸条入口(3e)と糸条出口(3f)が両端部に形成されかつその内部に前記糸条(Y)が走行する走行空間(3d)が形成された加熱容器(3a)と、前記走行空間(3d)へ過熱された不飽和水蒸気を前記走行糸条(Y)の進行方向に並流させるように形成された水蒸気供給口(3g)と水蒸気排出口(3g)とを具備することを特徴とする熱可塑性合成繊維の加熱延伸装置である。【選択図】      図２
2005068590.tif 000002
【特許請求の範囲】
【請求項１】
熱可塑性合成繊維からなる糸条を走行状態で加熱する糸条加熱手段と、前記糸条を所定の倍率で引き伸ばすための延伸手段とを備えた熱可塑性合成繊維の加熱延伸装置において、
前記糸条加熱手段が、延伸中に糸条が貫通して走行するための糸条入口と糸条出口が両端部に形成されかつその内部に前記糸条が走行する走行空間が形成された加熱容器と、前記走行空間へ過熱された不飽和水蒸気を前記走行糸条の進行方向に並流させるように形成された水蒸気供給口と水蒸気排出口とを具備することを特徴とする熱可塑性合成繊維の加熱延伸装置。
【請求項２】
前記水蒸気供給口が前記走行糸条に対して３０〜６０°の噴射角度を形成して糸条の進行方向に向かって前記走行空間に開口する請求項１に記載の熱可塑性合成繊維の加熱延伸装置。
【請求項３】
前記水蒸気排出口が前記走行糸条に対して３０〜６０°の傾斜角度を形成して前記走行空間から前記加熱容器の外部へ向かって形成された請求項１又は２に記載の熱可塑性合成繊維の加熱延伸装置。
【請求項４】
前記延伸手段が回転速度差を有する一対の回転体である請求項１〜３の何れかに記載の熱可塑性合成繊維の加熱延伸装置。
【請求項５】
前記一対の回転体を構成する糸条供給側回転体が非加熱の回転体である請求項４に記載の熱可塑性合成繊維の加熱延伸装置。
【請求項６】
少なくとも前記加熱容器を囲繞するように設けられた箱体を備えた請求項１〜５の何れかに記載の熱可塑性合成繊維の加熱延伸装置。
【発明の詳細な説明】
【技術分野】
【０００１】
本発明は、ポリエステル、ポリアミドなどの熱可塑性重合体（以下、“ポリマー”ともいう）からなる合成繊維糸条を加熱延伸するための装置に関する。
【背景技術】
【０００２】
ポリエステルやポリアミドなどのポリマーからなる熱可塑性合成繊維の延伸は、加熱ローラーや熱板などの加熱体に走行する糸条を接触させて予熱を施しながら行うが一般的である。しかしながら、この方法では走行糸の片面から伝熱されるため、糸全体を必要な温度にまで昇温するために必要以上に高い加熱温度に設定するか、あるいは加熱時間を取るために何度も加熱ローラーに糸条をターンさせることが必要となる。
【０００３】
しかしながら、加熱ローラーの設定温度が高い場合には、熱可塑性合成繊維の延伸時にネックを形成するのに必要な糸温度よりも高くなってしまうと、糸条の延伸点がローラー上に入ってしまい、ローラー上でスリップを起こすために糸がダメージを受ける。また、加熱ローラーに巻き付ける糸条のターン数が多い場合には、糸条が加熱ローラー上をターンしながら走行するにしたがって可塑化が進み、これとともに糸張力が低下して、走行する糸条のゆれが大きくなる。そうすると、延伸斑が生じたり、あるいは多錘の糸条が走行する場合には隣接する糸条同士が接触したりすることにより走行糸がダメージを受けて、毛羽や糸切れの原因となることがある。
【０００４】
そこで、糸条の延伸開始点がローラー上に入ってしまわないように、実公昭５６−１１１８２号公報において、ピン状ガイドを用いる技術が提案されている。確かに、この従来技術によれば、延伸点を固定する効果が得られるが、熱くなったピン状ガイドによる走行糸のダメージが大きくなって毛羽の原因となり、十分な糸品位を得ることができないという問題がある。
【０００５】
このような背景から、たとえば特開平１−２０７４３７号公報、実公昭５６−１１１８２号公報などにおいて、加熱ローラーや熱板などの加熱体と糸条との間の接触加熱によらずに、加熱した水蒸気を介して走行糸条を加熱する延伸方法が提案されている。このような水蒸気加熱では、加熱を効率的に行うために、水蒸気が水に相変化する際の潜熱（液化熱）を利用して、走行する糸条を短時間で効率的に加熱しようとする技術が使用される。
【０００６】
しかしながら、この従来の蒸気延伸方法では、糸条を加熱するための媒体として飽和水蒸気を使用するために、蒸気が外部に漏れないようにすることが必要となる。何故ならば、飽和水蒸気はその水に相変化する際の潜熱を利用できるという利点を有する半面で、外部に漏れ出すと、漏れ出した飽和水蒸気は極めて凝縮しやすいために、直ちに凝縮してドレン水となり、製糸設備あるいは製品を汚してしまったり、作業環境を悪化させたりするという欠点を有しているからであって、このような事態は、工業用の生産設備としては好ましいことではない。
【０００７】
そこで、水蒸気の外部への漏出を防止するために、特開平７−７０８６２号公報や特開平５−３３９８３９号公報において、蒸気延伸装置の糸条の出入り口をから蒸気漏れを防ぐために、ラビリンスシールを使用することが提案されている。しかしながら、飽和水蒸気の潜熱を利用しようとすると、水蒸気の飽和加熱温度を上げるために、飽和水蒸気を高圧に加圧する必要がある。しかしながら、ラビリンスシールは、直進する糸条の出入り口のように、直線形状を有する開口部をシールするためには効果的な方法ではなく、しかも、シールしようとする水蒸気の圧力が高くなればなるほどシールが困難となるという問題を有している。このため、ラビリンスシールを強化しようとすると、ラビリンス段数を多くしたり、糸条が走行する出入り口部の開口間隙を可能な限り狭くしたりすることが必須となる。そうすると、走行糸条がラビリンスシール部と接触してダメージを受ける機会が多くなって、その結果として、走行するマルチフィラメント糸条がフィラメント切れ（単繊維切れ）を起こして毛羽を発生するという問題が生じる。
【０００８】
【特許文献１】特開平１−２０７４３７号公報
【特許文献２】実公昭５６−１１１８２号公報
【特許文献３】特開平７−７０８６２号公報
【特許文献４】特開平５−３３９８３９号公報
【発明の開示】
【発明が解決しようとする課題】
【０００９】
以上に述べた従来技術が有する諸問題に鑑み、本発明は、加熱ローラーや熱板などの加熱体に接触させて加熱延伸する際の延伸点に起因する延伸斑を蒸気加熱延伸を採用して改善すると共に、特に飽和加熱水蒸気を加熱媒体として使用する蒸気加熱延伸が有する水蒸気漏れを防ぐシール部での擦過によって走行糸条が受けるダメージを抑制し、更には、従来のように外部に漏出した飽和蒸気が凝縮して周辺設備および製品を汚したり、作業環境を悪化させたりするのを抑制することができる熱可塑性合成繊維の加熱延伸装置を提供することを目的とする。
【課題を解決するための手段】
【００１０】
ここに、前記目的を達成するための本発明として、請求項１に記載の「熱可塑性合成繊維からなる糸条を走行状態で加熱する糸条加熱手段と、前記糸条を所定の倍率で引き伸ばすための延伸手段とを備えた熱可塑性合成繊維の加熱延伸装置において、
前記糸条加熱手段が、延伸中に糸条が貫通して走行するための糸条入口と糸条出口が両端部に形成されかつその内部に前記糸条が走行する走行空間が形成された加熱容器と、前記走行空間へ過熱された不飽和水蒸気を前記走行糸条の進行方向に並流させるように形成された水蒸気供給口と水蒸気排出口とを具備することを特徴とする熱可塑性合成繊維の加熱延伸装置」が提供される。
【００１１】
その際、本発明は請求項２に記載のように、「前記水蒸気供給口が前記走行糸条に対して３０〜６０°の噴射角度を形成して糸条の進行方向に向かって前記走行空間に開口する請求項１に記載の熱可塑性合成繊維の加熱延伸装置」とすることが好ましい。
【００１２】
また、本発明は請求項３に記載のように、「前記水蒸気排出口が前記走行糸条に対して３０〜６０°の傾斜角度を形成して前記走行空間から前記加熱容器の外部へ向かって形成された請求項１又は２に記載の熱可塑性合成繊維の加熱延伸装置」とすることが好ましい。
【００１３】
また、本発明は請求項４に記載のように、「前記延伸手段が回転速度差を有する一対の回転体である請求項１〜３の何れかに記載の熱可塑性合成繊維の加熱延伸装置」とすることが好ましい。
【００１４】
更には、本発明は請求項５に記載のように、「前記一対の回転体を構成する糸条供給側回転体が非加熱の回転体である請求項４に記載の熱可塑性合成繊維の加熱延伸装置」とすることが好ましい。
【００１５】
そして、本発明は請求項６に記載のように、「前記容器を少なくとも囲繞するように設けられた箱体を備えた請求項１〜５の何れかに記載の熱可塑性合成繊維の加熱延伸装置」とすることが好ましい。
【発明の効果】
【００１６】
以上に述べた請求項１に係る本発明によれば、加熱ローラーや熱板などの加熱体に走行糸条を接触させて走行させて高い設定温度の下で片面接触による加熱延伸を行う必要がなく、走行糸条の全周を取り囲む過熱された（スーパーヒートされた）不飽和水蒸気によって加熱延伸することができる。したがって、走行する糸条全体を必要な温度にまで昇温するために必要以上に高い加熱温度に設定したり、あるいは加熱時間を十分に取るために何度も加熱ローラー（すなわち、加熱された回転体）に糸条を複数回ターンさせたりすることが必要ではなくなり、延伸点が加熱ローラー（加熱された回転体）上や熱板上に移動することもなくなる。
【００１７】
しかも、このようにして、過熱された（スーパーヒートされた）不飽和水蒸気によって加熱延伸することができると、回転差を有する一対の回転体などの延伸手段を使用して糸条を延伸するために使用する一対の回転体は最早加熱する必要がなくなる。更には、加熱された回転体や熱板によって走行糸条の温度を上げる必要もなくなるから、糸条が所定の温度にまで昇温するための時間を稼ぐために必要以上に糸条をターンさせたり、接触長を長くしたりする必要がない。
【００１８】
また、糸条の走行方向に対して水蒸気を向流させるのではなく、糸条の走行方向に沿って並流に水蒸気を通すことによって、積極的に糸条を進行方向に送り出す推進力を付与することができ、水蒸気を使用して延伸する際の延伸張力を低減させることが容易に具現化できる。
【００１９】
しかも、本発明では過熱された（スーパーヒートされた）不飽和水蒸気を使用するため、これが外部に漏れ出たとしても飽和水蒸気とは異なってすぐに凝縮することはないから、外部に漏出した水蒸気が凝縮して周辺設備および製品を汚したり、作業環境を悪化させたりするのを抑制できる。しかも、このような理由から、ある程度の水蒸気の漏出をも許容できることから、従来のようなラビリンスシールのようなシール構造を必要とせず、したがって、シール部の糸条走行路を拡げたり短縮したりすることができる。このため、糸条がシール部を通過する際に擦過によってダメージを受けるのを抑制することができる。しかも、外部に漏れ出た水蒸気は、請求項６に記載の構成をとることによって、箱体によって囲い込むことができ、外部に拡散させることもなくなる。
【発明を実施するための最良の形態】
【００２０】
以下、本発明の実施の形態について図面を参照しながら詳細に説明する。
図１は、熱可塑性合成繊維の加熱延伸を行うための装置の概略構成を例示した模式説明図である。この図１において、Ｙは熱可塑性合成繊維からなる糸条であって、通常の状態であれば多数のフィラメント（単繊維）から構成されているが、本発明においては、モノフィラメントであっても構わない。なお、近年においては生産性を挙げるために、複数本（複数錘）の糸条を同時に加熱延伸することも行われている。
【００２１】
次に、１と２は回転速度差を有する一対の回転体であって、この一対の回転体１と２によって糸条Ｙを走行状態で把持しながら、その回転速度比に対応して、所定の延伸倍率で糸条Ｙを延伸する。したがって、本例ではこの「一対の回転体」が延伸手段を構成する。このとき、１は糸条供給側回転体、そして、２は糸条引取側回転体をそれぞれ示す。したがって、糸条Ｙは矢印方向へ走行することになる。なお、３は水蒸気を利用して走行する糸条Ｙを加熱するための糸条加熱手段であって、図示したように、回転体１と２の間に設置される。更に、４は前記糸条加熱手段３から漏れ出た過熱水蒸気の周囲への拡散を防止するための箱体である。
【００２２】
ここで、本発明では、前記糸条加熱手段３は過熱された（スーパーヒートされた）不飽和水蒸気を使用して糸条Ｙを加熱するために設けられており、このような過熱された不飽和水蒸気は、例えば、通常の製糸設備において常用される飽和水蒸気をスーパーヒートするための過熱手段５を設けることによって生成される。その際、過熱された不飽和水蒸気の温度は、周知の熱電対のような温度検出手段６によって検出し、このとき検出した温度が所定の温度となるように図示省略した制御手段によってフィードバック制御することによって常に設定値に維持されている。
【００２３】
以上に述べたように構成される本発明の加熱延伸装置においては、従来技術において使用される蒸気加熱装置と同様に加熱された水蒸気を使用することで一致するが、これとは全く技術思想が異なる糸条加熱手段を使用することを一大特徴とする。そこで、本発明の水蒸気による糸条加熱手段３の実施態様例について、図２を参照しながら詳細に説明する。前記図２において、図（ａ）は模式正断面図図、図（ｂ）は模式側面図、そして、図（ｃ）は模式平面図をそれぞれ表す。
【００２４】
前記図２において、図（ａ）は、前記糸条加熱手段３の模式正断面図図、図（ｂ）は前記糸条加熱手段３の模式側面図、そして、図（ｃ）は前記糸条加熱手段３の模式平面図をそれぞれ表す。このとき、本発明の糸条加熱手段３は、図示したように、加熱容器３ａ、水蒸気供給管３ｂ、水蒸気排出管３ｃ、糸条の走行空間３ｄ、糸条入口３ｅ、糸条出口３ｆ、水蒸気供給口３ｇ、水蒸気排出口３ｈ、糸通し用スリット３ｉ、そしてスリットの開閉手段３ｊなどを備えて構成される。
【００２５】
以上のように構成される本発明の糸条加熱手段３は、水蒸気の過熱手段５によってスーパーヒートされた不飽和水蒸気が生成される。そして、このようにして生成された過熱不飽和水蒸気はその温度を所定の設定温度に過熱された状態で水蒸気供給管３ｂを介して水蒸気供給口３ｇへ供給され、これによって、加熱容器３ａ内に形成された糸条の走行空間３ｄへと導入される。この走行空間３ｄへ導入する水蒸気は飽和水蒸気を過熱処理して不飽和状態にて使用するのが好ましい。何故ならば、飽和水蒸気では走行空間３ｄへ噴射された後、糸条Ｙと共に加熱容器３ａから漏れ出すと、冷たい外気に接触して急速に凝縮して、周囲設備や製品を汚したり、発生したドレン水が垂れたりして作業環境を悪化させる。また、延伸点の固定という観点からも、糸条Ｙの急速加熱を行うには蒸気温度が高温であることが必要であるが、飽和水蒸気であれば、蒸気圧力を上げて温度を上げざるを得ず蒸気流量が増大して糸ゆれを惹起したり、高圧に起因する蒸気漏れの増大を惹起する。
【００２６】
なお、前記糸条加熱手段３の加熱容器３ａには、延伸中に糸条Ｙが貫通して走行するための糸条Ｙの走行空間３ｄが形成され、その両端部には糸条Ｙの入口３ｅと出口３ｆが形成されている。また、前記走行空間３ｄには、過熱された不飽和水蒸気が糸条Ｙの走行方向に沿って並流させるように形成された水蒸気供給口３ｇと水蒸気排出口３ｈとが開口している。ここで、前者の水蒸気供給口３ｇは、走行糸条Ｙに対して３０〜６０°の噴射角度を形成するように糸条Ｙの進行方向に向かって走行空間３ｄに開口し、後者の水蒸気排出口３は、前記走行糸条に対して３０〜６０°の傾斜角度を形成して前記加熱容器３ａの外部へ向かって水蒸気を排出開口が走行空間３ａに形成されている。
【００２７】
したがって、加熱容器３ａ内に供給された水蒸気は、糸条Ｙの進行方向に対して走行空間３ｄへ噴出され、糸条Ｙの走行方向への推進力を与えながら走行空間３ａを糸条Ｙと並流して水蒸気排出口３ｈから加熱容器３ａ外へ流出することによって排出される。なお、このときの糸条Ｙと水蒸気が並流することによって発生させられた糸条Ｙｋ走行を推進する推進力は、糸条加熱手段３内での延伸張力を低減させる効果も有している。
【００２８】
このとき、走行空間３ｄへ流入した過熱水蒸気は走行する糸条Ｙの周囲を取り囲んで流れるため、糸条Ｙは過熱された不飽和水蒸気から伝熱される顕熱によって糸条Ｙの全周から加熱される。なお、本発明では過熱された不飽和水蒸気を使用するために、加熱容器３ａ外へ排出された過熱水蒸気は直ぐに凝縮することはないのに対して、従来の水蒸気加熱装置では、熱伝達効率を上げるために飽和水蒸気の潜熱を利用しようとするため、加熱容器３ａから排出されると、直ちに凝縮してドレン水となって、製品や周辺設備に付着したり、作業環境を著しく悪化させたりする。
【００２９】
また、本発明の加熱手段３には、加熱容器３ａ内に導入された大部分の過熱水蒸気を排出するための水蒸気排気口３ｈが設けてられているとはいえ、本発明の加熱手段３は従来装置のようにラビリンスシール構造を持たない。このため、糸条Ｙが加熱容器３ａを貫通して走行する際に、糸条出口３ｆから水蒸気が若干漏れ出るこことを回避することができない。なお、図２で糸条出口の走行路の間隙は狭いほうが好ましいが、本発明ではある程度の水蒸気漏れを許容できるため、その間隙を２ｍｍより大きくして、走行する糸条Ｙに糸ゆれが生じても擦過損傷が生じるのを低減することが好ましい。また、この間隙をあまりにも狭くするのは、その間隙調整が困難となるため、作業上の観点から２ｍｍより大きくすることが好ましい。
【００３０】
ただし、ここで念のために付言しておくと、糸条入口３ｅは、水蒸気供給口３ｇから噴き出される水蒸気によるエジェクター作用によって、走行糸条と共に外部から空気が流入する条件を採用するため、ここからの水蒸気漏れは発生しない。
【００３１】
そこで、糸条出口３ｆから漏れ出る過熱水蒸気の漏れ対策として、糸条Ｙを下方から上方へと走行させ、大気中に拡散させることが好ましい。しかしながら、長時間にわたって過熱水蒸気を漏洩させ続けることは問題である。そこで、特に、糸条Ｙを下方走行するような状態に加熱手段３を取り付けた場合をも含めて、少なくとも加熱容器３ａを囲繞する箱体４を設けるのが好ましく、その際、糸条引取側回転体（引取ローラー）をも囲うように箱体を設置することが好ましい。
【００３２】
このとき、水蒸気排出口３ｈが走行糸条Ｙに対して３０〜６０°の傾斜角度θ２を形成して走行空間３ｄから加熱容器３ａの外部へ向かって形成されていることが好ましく、この角度θ２が３０度よりも小さいと、導入された水蒸気はほとんど水蒸気排出口３ｈから排気されずに、走行糸条Ｙと共に糸条出口３ｆを直進して糸条引取側回転体２（引取ローラー）に当たってしまい、水蒸気排出口３ｈを設置した効果を得ることができない。なお、水蒸気排出口３ｈには水蒸気を排気するために周知のブロアのような排風装置あるいは吸引装置を設けてもかまわないが、強制的に大量の排気を行うと、糸条入口３ｅから流入する空気量が増大して、糸条Ｙの加熱効果を低減させると共に、糸ゆれをも惹起するという事態には十分に配慮する必要がある。なお、このような強制的な水蒸気の排気を行わずに水蒸気の自然なの流れによる排気効果を得る上で、角度θ２を３０°〜６０°とすることが好ましい。
【００３３】
また、水蒸気供給口３ｇから走行空間３ｄを走行する糸条Ｙに対して水蒸気を噴射するための噴射角度θ１も３０〜６０°とすることが好ましい。何故ならば、この噴射角度θ１が３０°よりも小さいと、走行空間３ｄへ導入した水蒸気はほとんど排気されず走行糸条Ｙと共に糸条出口３ｆを直進して糸条引取側回転体２（引取ローラー）に当たってしまい、水蒸気排出口３ｈを設置した効果を得ることができないからである。また、糸条入口３ｅから大量の外気を吸引してしまって、過熱水蒸気による糸条Ｙの加熱効果が損なわれる。また、噴射角度が６０°よりも大きくなると、導入した水蒸気が走行糸条の上流側へと逆流して糸条入口３ｅから漏れ始め、加熱手段３による急速加熱の効果が得にくい。
【００３４】
本発明は、過熱された不飽和水蒸気を使用して糸条Ｙを加熱しながら蒸気延伸をするが、このとき延伸手段として使用する糸条引取側回転体２（引取ローラー）は非加熱である方が、糸条加熱手段３による急速加熱を行う際に、より良好な延伸点の固定効果が得られる。また、回転体２の表面摩擦特性などの要因によって、糸条Ｙがこの回転体２上でスリップして、供給速度が変動する可能性がなければ、図１に示すように回転体２に糸条Ｙを何度もターンをさせる必要はなくなる。そうすると、走行糸条Ｙを所定の倍率に延伸するための延伸装置として、簡単で安価な設備となる上に、糸条Ｙを何度も回転体２に巻回することがなくなって作業性が改善される。
【００３５】
前記の作業性の改善に際しては、図２（ｂ）及び（ｃ）に示したように、加熱容器３ａの側面の全面に渡って糸条Ｙの走行方向に沿って、走行空間３ｄへ走行状態の糸条Ｙを導くための糸通し用スリット３ｉを設けることによって、複数本の糸条Ｙを一度に糸通しできるような構造とすることが好ましい。ただし、このスリット３ｉから走行糸条Ｙを加熱容器３ａへと糸掛けするに際して、スリットの開閉手段３ｊを設けて、糸掛け作業中のみスリット部を開放し、糸掛けが完了した後はスリット部を閉塞できるようにするのが好ましい。
【産業上の利用可能性】
【００３６】
本発明の熱可塑性合成繊維の加熱延伸装置は、ポリエステル、ポリアミドなどの熱可塑性ポリマーからなる延伸糸を得るために、合成繊維糸条を加熱延伸するための装置して好適に利用することができる。
【図面の簡単な説明】
【００３７】
【図１】本発明の加熱延伸装置の概略構成を例示した模式説明図である。
【図２】本発明の水蒸気による糸条加熱手段の実施態様を例示した模式説明図である。
【符号の説明】
【００３８】
１．糸条供給側回転体
２．糸条引取側回転体
３．糸条加熱手段
３ａ．加熱容器
３ｂ．水蒸気供給管
３ｃ．水蒸気排出管
３ｄ．糸条の走行空間
３ｅ．糸条入口
３ｆ．糸条出口
３ｇ．水蒸気供給口
３ｈ．水蒸気排出口
３ｉ．糸掛け用スリット
３ｊ．スリットの開閉手段
４．箱体
５．水蒸気の過熱手段
６．温度検出手段
θ１．蒸気噴射角
θ２．蒸気排気角
Ｙ．糸条
【図１】
2005068590.tif 000003
【図２】
2005068590.tif 000004